(57)【要約】【課題】キッチンキャビネット用引き出しに、まな板等の背の高い物品を安定にかつ取り出し容易に立てて収納することができ、しかも、立てて収納した背の高い物品が他の物品の収納の邪魔にならないようにする。【解決手段】底板２１と、底板２１の左右両端部に立設された左右の側板２２，２３と、底板２１の前後両端部に立設された前板２４及び背板２５とにより収納空間Ｓが画成され、キャビネット本体１０に前後方向にスライド自在に支持されたキッチンキャビネット用引き出し２０において、左右の側板２２，２３のうちの一方の側板２２に近接して収納空間Ｓに前後方向に延びる仕切り板４０を立設する。仕切り板４０と一方の側板２２との間に形成された前後方向に細長い側方分割空間Ｓ２にまな板等の背の高い物品をまとめてコンパクトに安定に立てて収納することが可能となる。他の分割空間Ｓ３には他の物品を区別して収納する。【選択図】図２
2010167195.tif 000002
【特許請求の範囲】
【請求項１】
底板と、該底板の左右両端部に立設された左右の側板と、前記底板の前後両端部に立設された前板及び背板とにより収納空間が画成され、キャビネット本体に前後方向にスライド自在に支持されたキッチンキャビネット用引き出しであって、
前記左右の側板のうちの一方の側板に近接して前記収納空間に前後方向に延びる仕切り板が立設されていることを特徴とするキッチンキャビネット用引き出し。
【請求項２】
請求項１に記載のキッチンキャビネット用引き出しにおいて、
当該引き出しは、キッチンキャビネットのワークトップに設けられたシンクの下方に配設され、
前記シンクの左右の側壁のうちの一方の側壁と該一方の側壁と対向するキッチンキャビネットの左右の側壁のうちの一方の側壁との間に所定幅の空間が設けられていると共に、
この所定幅の空間の下方に、前記仕切り板と前記一方の側板との間に形成された空間が配置されていることを特徴とするキッチンキャビネット用引き出し。
【請求項３】
請求項１又は２に記載のキッチンキャビネット用引き出しにおいて、
前記仕切り板は、該仕切り板の前端部及び後端部から前記一方の側板に向かって延びる前後の延設部と、該延設部にそれぞれ設けられた係合部とを有し、該係合部が前記一方の側板の上縁部に係合することにより前記仕切り板は前記一方の側板に着脱自在に支持されていることを特徴とするキッチンキャビネット用引き出し。
【請求項４】
請求項１から３のいずれか１項に記載のキッチンキャビネット用引き出しにおいて、
前記仕切り板と前記一方の側板との間の空間内で物品を保持する物品保持部材が前記一方の側板に支持されていることを特徴とするキッチンキャビネット用引き出し。
【請求項５】
請求項１から４のいずれか１項に記載のキッチンキャビネット用引き出しにおいて、
前記仕切り板の上縁部よりも上方の位置で物品を保持する第２の物品保持部材が前記仕切り板に支持されていることを特徴とするキッチンキャビネット用引き出し。
【請求項６】
請求項１から５のいずれか１項に記載のキッチンキャビネット用引き出しにおいて、
前記仕切り板と当該引き出しの左右の側板のうちの他方の側板との間に左右に延びるバー部材が架設されていることを特徴とするキッチンキャビネット用引き出し。
【発明の詳細な説明】
【技術分野】
【０００１】
本発明は、キッチンキャビネット用引き出しに関し、台所用家具の技術分野に属する。
【背景技術】
【０００２】
キッチンキャビネットの本体に前後方向にスライド自在に支持されたキッチンキャビネット用引き出しは、一般に、底板と、該底板の左右両端部に立設された左右の側板と、前記底板の前後両端部に立設された前板及び背板とにより収納空間が画成された構造である。この収納空間に、まな板や杓子あるいはラップフィルムのロール等の１方向の寸法が長い背の高い台所用品を左右の側板や前板等に寄りかけて立てた状態で置くと、安定せず、引き出しの開閉時の振動等で滑って倒れる可能性がある。また、前記収納空間に、まな板等を初めから横に倒した状態で置くと、占有面積が広くなって他の物品が収納し難くなるばかりでなく、まな板等が他の物品に埋もれて取り出し難くなる。この取り出し難さの問題は引き出しの底が深いほど顕著となる。
【０００３】
このような不具合に対処し得る技術として、例えば事務用机の引き出しに見られるように、引き出しの収納空間に左右の幅方向に延びる仕切り板を配設して、前記収納空間を引き出しのスライド方向に並ぶ複数の分割空間に区画し、まな板等の背の高い物品を他の物品と区別してまとめてコンパクトに所定の分割空間に収納することが考えられる。しかし、複数の分割空間を引き出しのスライド方向に並設すると、引き出しの奥のほうの分割空間に収納した物品が取り出し難くなったり、引き出しの手前のほうの分割空間に立てて収納したまな板等の背の高い物品がそれより奥にある物品の取り出しの邪魔になるという問題がある。
【０００４】
なお、特許文献１には、ハンギングフォルダを支持するハンギングフレームが備えられたファイル引き出しにおいて、前後方向に延びる支持バーを架設することが開示されている。しかし、この支持バーはあくまでもハンギングフォルダを懸架するためのものであり、引き出しの収納空間を複数の分割空間に区画するためのものではない。したがって、支持バーの下方は収納空間が仕切られておらず、物品を区別して引き出しに収納することができない。
【先行技術文献】
【特許文献】
【０００５】
【特許文献１】実開平６−８３３７４号公報（図１、図６）
【発明の概要】
【発明が解決しようとする課題】
【０００６】
本発明は、キッチンキャビネット用引き出しにおける前記のような不具合に対処しようとするもので、まな板や杓子等の背の高い物品を安定にかつ取り出し容易に立てて収納することができ、しかも、立てて収納した背の高い物品が他の物品の収納の邪魔にならないキッチンキャビネット用引き出しの提供を課題とする。
【課題を解決するための手段】
【０００７】
前記課題を解決するため、本発明は次のように構成したことを特徴とする。
【０００８】
請求項１に記載の発明は、底板と、該底板の左右両端部に立設された左右の側板と、前記底板の前後両端部に立設された前板及び背板とにより収納空間が画成され、キャビネット本体に前後方向にスライド自在に支持されたキッチンキャビネット用引き出しであって、前記左右の側板のうちの一方の側板に近接して前記収納空間に前後方向に延びる仕切り板が立設されていることを特徴とする。
【０００９】
請求項２に記載の発明は、請求項１に記載のキッチンキャビネット用引き出しにおいて、当該引き出しは、キッチンキャビネットのワークトップに設けられたシンクの下方に配設され、前記シンクの左右の側壁のうちの一方の側壁と該一方の側壁と対向するキッチンキャビネットの左右の側壁のうちの一方の側壁との間に所定幅の空間が設けられていると共に、この所定幅の空間の下方に、前記仕切り板と前記一方の側板との間に形成された空間が配置されていることを特徴とする。
【００１０】
請求項３に記載の発明は、請求項１又は２に記載のキッチンキャビネット用引き出しにおいて、前記仕切り板は、該仕切り板の前端部及び後端部から前記一方の側板に向かって延びる前後の延設部と、該延設部にそれぞれ設けられた係合部とを有し、該係合部が前記一方の側板の上縁部に係合することにより前記仕切り板は前記一方の側板に着脱自在に支持されていることを特徴とする。
【００１１】
請求項４に記載の発明は、請求項１から３のいずれか１項に記載のキッチンキャビネット用引き出しにおいて、前記仕切り板と前記一方の側板との間の空間内で物品を保持する物品保持部材が前記一方の側板に支持されていることを特徴とする。
【００１２】
請求項５に記載の発明は、請求項１から４のいずれか１項に記載のキッチンキャビネット用引き出しにおいて、前記仕切り板の上縁部よりも上方の位置で物品を保持する第２の物品保持部材が前記仕切り板に支持されていることを特徴とする。
【００１３】
請求項６に記載の発明は、請求項１から５のいずれか１項に記載のキッチンキャビネット用引き出しにおいて、前記仕切り板と当該引き出しの左右の側板のうちの他方の側板との間に左右に延びるバー部材が架設されていることを特徴とする。
【発明の効果】
【００１４】
まず、請求項１に記載の発明によれば、底板、左側板、右側板、前板及び背板により収納空間が画成された前後方向にスライド自在なキッチンキャビネット用引き出しにおいて、前記収納空間の中に、前後方向に延びる仕切り板と、左右の側板のうちの一方の側板とで挟まれた前後方向に細長い分割空間が形成される。
【００１５】
したがって、この分割空間に、まな板や杓子等の背の高い物品を他の物品と区別してまとめてコンパクトに収納することができる。しかも、この分割空間は前後方向に細長く左右の幅が狭いから、まな板等の背の高い物品を安定に立てて収納することが可能となる。また、この分割空間は引き出しの収納空間の中の左右の側方に寄せて形成されるから、この分割空間内で物品を引き出しの手前のほうに収納することができて、その取り出しが容易となると共に、たとえ背の高い物品をこの分割空間（以下「側方分割空間」という）に立てて収納しても、この側方分割空間以外の分割空間（以下「他の分割空間」という）への他の物品の収納の邪魔になることがない。
【００１６】
次に、請求項２に記載の発明によれば、相対向するシンクの側壁とキャビネットの側壁との間に設けられた所定幅の空間（以下「シンク横空間」という）と、仕切り板と一方の側板との間に形成された側方分割空間とが上下に連続して一体化するから、この一体化した高さの高い空間にまな板等の背の高い物品を立てた状態で良好に収納することが可能となる。つまり、シンクの側方に設けられた所定幅のシンク横空間をデッドスペースとせずに有効利用できるという利点が得られる。
【００１７】
次に、請求項３に記載の発明によれば、仕切り板は、係合部を介して側板ひいては引き出しに支持されるので、例えばこのような係合部を介さずに仕切り板をただ底板の上に載置したときに比べて仕切り板をしっかりと安定して立設することが可能となる。
【００１８】
しかも、係合部を設けるための延設部が仕切り板の前後の端部に形成されているので、この延設部によって仕切り板と側板との間の側方分割空間が狭められることもない。
【００１９】
また、前後方向に延びる仕切り板と、側板に向かって左右方向に延びる延設部とで構成される屈曲構造によって、仕切り板の剛性向上が図られる。
【００２０】
次に、請求項４に記載の発明によれば、物品保持部材に物品を保持させることによって、仕切り板と側板との間の側方分割空間内に物品を安定、確実に収納することが可能となる。
【００２１】
しかも、物品保持部材は、側板ひいては引き出しに支持されているから、物品もまた側方分割空間内でしっかりと安定して支持されることとなる。
【００２２】
次に、請求項５に記載の発明によれば、第２の物品保持部材に物品を保持させることによって、仕切り板の上縁部を超えて高さの高い物品を引き出しの収納空間内に安定、確実に収納することができる。
【００２３】
しかも、第２の物品保持部材は、仕切り板に支持されているから、物品は仕切り板の近傍、つまり側方分割空間の近傍に収納されることとなり、側方分割空間以外の他の分割空間への他の物品の収納の邪魔になることが確実に回避される。
【００２４】
そして、請求項６に記載の発明によれば、仕切り板と他方の側板との間に架設された左右に延びるバー部材によって、仕切り板が他方の側板に連結されることとなり、仕切り板の剛性向上が図られる。
【００２５】
その場合に、バー部材は、仕切り板と他方の側板との間に形成された他の分割空間内に存在し、仕切り板と一方の側板との間に形成された側方分割空間内には存在しないから、この側方分割空間への物品の収納の邪魔になることがない。
【００２６】
ここで、バー部材は、仕切り板が引き出しに支持されている支持部から遠い位置で仕切り板を他方の側板に連結することが好ましい。例えば、請求項３に記載のように、仕切り板が前後の端部で引き出しに支持されているような場合は、バー部材は、仕切り板の前後方向の中央部で仕切り板を他方の側板に連結する。そして、バー部材を高い位置で架設すると、バー部材が他の分割空間への他の物品の収納の邪魔にならずに済み、さらに好ましい結果が得られる。
【図面の簡単な説明】
【００２７】
【図１】本発明の実施形態に係るシステムキッチンの斜視図である。
【図２】ワークトップの記載を省略したシンク用キャビネットの斜視図である。
【図３】仕切り板が立設されているキッチンキャビネット用引き出しの左側方の周辺を拡大して示す一部切り欠き部分正面図である。
【図４】連結板が装着されているキッチンキャビネット用引き出しの右側方の周辺を拡大して示す一部切り欠き部分正面図である。
【図５】幕板単体の斜視図である。
【図６】仕切り板単体の斜視図である。
【図７】（ａ）は連結板と対向する垂直面部を向けた仕切り板単体の側面図、（ｂ）は仕切り板と対向する垂直面部を向けた連結板単体の側面図である。
【図８】物品保持部材の概略構成を示す斜視図であって、（ａ）はまな板用、（ｂ）は杓子用、（ｃ）はラップフィルムのロール用である。
【図９】まな板用物品保持部材及び杓子用物品保持部材を具備した図３に類似の一部切り欠き部分正面図である。
【図１０】まな板用物品保持部材及びラップフィルムのロール用物品保持部材を具備した図３に類似の一部切り欠き部分正面図である。
【発明を実施するための形態】
【００２８】
以下、本発明の実施形態に係るキッチンキャビネット用引き出しを備えたシステムキッチンについて説明する。
【００２９】
図１に示すように、このシステムキッチン１は、シンク用キャビネット２と調理台用キャビネット３と調理器具用キャビネット４とが左右方向に並設され、これらのキャビネット２〜４の上にワークトップ５が載置された構成である。ワークトップ５には、シンク用キャビネット２に対応してシンク５ａが設けられ、調理器具用キャビネット４に対応して調理器具５ｂが備えられている。
【００３０】
図２に示すように、キッチンキャビネットとしてのシンク用キャビネット２は、上面と前面とが開口する箱形状のキャビネット本体１０と、このキャビネット本体１０に前後方向にスライド自在に支持された上下２段のキッチンキャビネット用引き出し２０とを備えている（図２には上段の引き出しのみ図示、図１には２段とも図示）。キッチンキャビネット用引き出し２０は、ワークトップ５に備えられたシンク５ａの下方に配設されている。
【００３１】
キャビネット本体１０は、左右の側壁１１，１２と、該側壁１１，１２間の後部に架設された背壁１３と、前記側壁１１，１２間の下部に架設された底壁１４とを有している。キッチンキャビネット用引き出し２０は、底板２１と、該底板２１の左右両端部に立設された左右の側板２２，２３と、前記底板２１の前後両端部に立設された前板２４及び背板２５とを有している。そして、これらの底板２１、左側板２２、右側板２３、前板２４及び背板２５とにより引き出し２０の収納空間Ｓが画成されている。
【００３２】
ここで、図２において、引き出し２０の前板２４は引き出し２０の内部が見えるように鎖線で示してある。また、本実施形態において、引き出し２０の側板２２，２３は、１枚物ではなく、前後方向に延びて前板２４と背板２５との間に架設された側板本体２２ａ，２３ａと、該側板本体２２ａ，２３ａの上方で前後方向に延びて前板２４と背板２５との間に架設されたロッド部材２２ｂ，２３ｂとでなっている。
【００３３】
図３及び図４に示すように、前記側板本体２２ａ，２３ａは、中空構造とされ、この側板本体２２ａ，２３ａの内部に引き出し２０を前後方向にスライド自在とするためのレール機構１１ａ，１２ａが内蔵されている。なお、図３及び図４において、レール機構１１ａ，１２ａに含まれるローラの記載は省略してある。また、前記ロッド部材２２ｂ，２３ｂは、左右の側板２２，２３の上縁部を構成する。
【００３４】
ワークトップ５に備えられたシンク５ａは、キャビネット本体１０の内部空間に上方から下方に向けて突出している。そして、シンク５ａは、意図的にあるいは必要に迫られて、キャビネット本体１０に対して、左右方向の中央部よりも右に偏って配置されている（図２参照）。その結果、図３に明示したように、シンク５ａの左側壁５ｃと、該左側壁５ｃと対向するキャビネット本体１０の左側壁１１との間に、所定幅（左右方向の長さ）の空間、すなわちシンク横空間Ｓ１が設けられている。このシンク横空間Ｓ１は、左右の幅が狭く前後方向に延びる比較的容量の小さい空間であり、ともすればデッドスペースになりがちな空間である。
【００３５】
キャビネット本体１０の左右の側壁１１，１２間の上部前面には、上段の引き出し２０をキャビネット本体１０に押し込んだときに該引き出し２０の前板２４の上部後面と当接する左右に延びる戸当たり桟１５が架設されている（図２参照）。また、シンク横空間Ｓ１の上部に、ワークトップ５の下面を支持する前後方向に延びる補強桟１６が配設されている。
【００３６】
そして、キャビネット本体１０の左右の側壁１１，１２間の上部前面で、シンク５ａの前方かつ戸当たり桟１５の下方に、正面視でシンク５ａを隠す幕板３０が架設されている。
【００３７】
この幕板３０は、例えば鋼板のような金属製の板材を折曲加工することにより一体に形成されたものであり、図５にも示すように、シンク５ａの前方で左右に延びる面状の垂直部３１と、この垂直部３１の左端部からシンク５ａの左側壁５ｃに沿って後方に延びる垂直面状の後方延設部３２と、この後方延設部３２の後端上部からシンク横空間Ｓ１の上部を横断し、キャビネット本体１０の左側壁１１に向かって延びる水平面状の横方向延設部３３とを有している。
【００３８】
図５に明示したように、垂直部３１の右端部に若干量後方に延びる取付部３４が設けられ、この取付部３４に形成された切り欠き３４ａ，３４ａを介してこの幕板３０がビスＢ，Ｂ（図４参照）によりキャビネット本体１０の右側壁１２に取り付けられている。また、横方向延設部３３の左端部に若干量下方に延びる取付部３５が設けられ、この取付部３５に形成された丸穴３５ａ，３５ａ（図５には１つのみ図示）を介してこの幕板３０がビスＢ，Ｂ（図３参照）によりキャビネット本体１０の左側壁１１に取り付けられている。
【００３９】
さらに、垂直部３１の上縁部に若干量前方に延びる結合部３６が設けられ、この結合部３６に形成された長穴３６ａ…３６ａを介してこの幕板３０がビスＢ…Ｂ（図３及び図４参照）により戸当たり桟１５の下面に結合されている。また、横方向延設部３３に形成された丸穴３３ａ…３３ａを介してこの幕板３０がビスＢ…Ｂ（図３参照）により補強桟１６の下面に結合されている。
【００４０】
さらに、垂直部３１の下縁部に若干量後方に延びる補強部３７が設けられ、垂直部３１の剛性維持が図られている。また、後方延設部３２の後縁部に若干量右方に延びる補強部３８が設けられ、後方延設部３２の剛性維持が図られている。
【００４１】
この幕板３０においては、横方向延設部３３は、垂直部３１ないし戸当たり桟１５の下縁部よりも高い位置にある。その結果、この幕板３０は、シンク横空間Ｓ１に対する背の高い物品（例えばまな板Ｘ１等）の出し入れの邪魔になることがない。加えて、垂直部３１と後方延設部３２と横方向延設部３３とで構成される屈曲構造により、幕板３０の剛性が良好に維持される。
【００４２】
次に、本発明の特徴部分である仕切り板４０について説明する。
【００４３】
図２及び図３に明示したように、キッチンキャビネット用引き出し（上段の引き出し）２０の収納空間Ｓの左側方に、前後方向に延びる仕切り板４０が立設されている。この仕切り板４０は、例えば鋼板のような金属製の板材を折曲加工することにより一体に形成されたものであり、図６及び図７（ａ）にも示すように、仕切り板本体を構成する前後方向に延びる垂直面部４１と、この垂直面部４１の前後の端部から引き出し２０の左側板２２に向かって延びる前後の延設部４２，４２と、この前後の延設部４２，４２の左端部から垂直面部４１と平行に後方又は前方に延びる前後の第２の延設部４３，４３と、この前後の第２の延設部４３，４３の上縁部に左外方に向けて湾曲形成された係合部４３ａ，４３ａとを有している。
【００４４】
そして、前記係合部４３ａ，４３ａが引き出し２０の左側板２２の上縁部を構成するロッド部材２２ｂに上方から係合することにより、この仕切り板４０が前記左側板２２に着脱自在に支持されている。この状態において、垂直面部４１が左側板２２に近接し、垂直面部４１と左側板２２とが相対向している。そして、これらの垂直面部４１と左側板２２との間に、前後方向に細長い分割空間、すなわち側方分割空間Ｓ２が形成されている。
【００４５】
その場合に、図３から明らかなように、仕切り板４０は前記シンク横空間Ｓ１の下方に配置されており、したがって、前記側方分割空間Ｓ２もまた前記シンク横空間Ｓ１の下方に配置されている。その結果、シンク横空間Ｓ１と側方分割空間Ｓ２とが上下に連続して一体化した高さの高い空間が引き出し２０の左側部の上方に生成している。
【００４６】
なお、図３に明示したように、垂直面部４１の下縁部に若干量右方に延びる台座部４４が設けられ、この台座部４４が引き出し２０の底板２１に着座することにより、この仕切り板４０が安定して底板２１に立設されている。
【００４７】
一方、垂直面部４１の上縁部に若干量左方に延びる補強部４５，４５が設けられ、垂直面部４１の剛性維持が図られている。また、垂直面部４１の前後の端部に若干量左方に延びる補強部４２ａ，４２ａが前記延設部４２，４２と一体に設けられ、これによっても垂直面部４１の剛性維持が図られている。
【００４８】
次に、図２及び図４に明示したように、キッチンキャビネット用引き出し（上段の引き出し）２０の右側板２３に、前後方向に延びる連結板５０が装着されている。この連結板５０は、例えば鋼板のような金属製の板材を折曲加工することにより一体に形成されたものであり、図７（ｂ）にも示すように、連結板本体を構成する前後方向に延びる垂直面部５１と、この垂直面部５１の上縁部に右外方に向けて湾曲形成された係合部５３ａとを有している。
【００４９】
そして、前記係合部５３ａが引き出し２０の右側板２３の上縁部を構成するロッド部材２３ｂに上方から係合することにより、この連結板５０が前記右側板２３に着脱自在に装着されている。この状態において、前記仕切り板４０の垂直面部４１と、この連結板５０の垂直面部５１とが引き出し２０の収納空間Ｓの中で相対向し、これらの垂直面部４１，５１間に、前記側方分割空間Ｓ２以外の分割空間、すなわち他の分割空間Ｓ３が形成されている。
【００５０】
その場合に、図４から明らかなように、連結板５０の垂直面部５１の下縁部が右の側板本体２３ａの上縁部に当接して、この連結板５０の装着の安定化が図られている。
【００５１】
次に、図７（ａ），（ｂ）に示したように、相対向する前記仕切り板４０の垂直面部４１及び前記連結板５０の垂直面部５１に、高さ位置及び前後位置の相異なる多数の孔（図例では長円形状）４６…４６，５６…５６が形成されている。これらの孔４６…４６，５６…５６は、仕切り板４０及び連結板５０が引き出し２０に具備されたときに、対応する孔４６，５６同士が同じ高さ位置及び前後位置になるように形成されている。
【００５２】
そして、そのような対応する仕切り板４０の孔４６と連結板５０の孔５６との間に、左右に延びるバー部材６０が架設されている（図２参照）。バー部材６０は、図３及び図４に示したように、長尺な本体６１と、この本体６１の両端部に設けられた突起部６２，６２とを有し、この突起部６２，６２が前記孔４６，５６に嵌合することにより、バー部材６０が仕切り板４０と右側板２３との間に連結板５０を介して架設されている。本実施形態では、図７（ａ），（ｂ）にバー部材本体６１を鎖線で図示したように、バー部材６０は、仕切り板４０及び連結板５０の前後方向の中央部かつ上部の孔４６，５６間に架設されている。
【００５３】
なお、バー部材６０を仕切り板４０及び連結板５０に架設するには、仕切り板４０及び連結板５０を引き出し２０の左右外方に撓ませばよい。あるいは、突起部６２，６２又は突起部６２，６２を含むバー部材本体６１の端部をバー部材６０の長さ方向に伸縮自在に構成してもよい。
【００５４】
また、図７（ａ）に示したように、前記仕切り板４０の垂直面部４１には、高さ位置及び前後位置の相異なる別の孔（図例では円形状）４７…４７が形成されているが、これは物品保持部材８０，９０を仕切り板４０に取り付けるためのものであって、後に詳しく説明する。
【００５５】
以上のように、本実施形態では、底板２１、左側板２２、右側板２３、前板２４及び背板２５により収納空間Ｓが画成された前後方向にスライド自在なキッチンキャビネット用引き出し２０において、前記収納空間Ｓの中に、前後方向に延びる仕切り板４０と左側板２２とで挟まれた前後方向に細長い側方分割空間Ｓ２が形成されている。
【００５６】
したがって、この側方分割空間Ｓ２に、図３に鎖線で例示したように、まな板Ｘ１等の背の高い物品をまとめてコンパクトに収納することができる。一方、スポンジたわし等の背の低い他の物品（図示せず）は、他の分割空間Ｓ３に区別して収納すればよい。
【００５７】
その場合に、前記側方分割空間Ｓ２は、前後方向に細長く、左右の幅（幅は仕切り板４０の延設部４２で規定される）が狭いから、まな板Ｘ１等の背の高い物品を仕切り板４０又は左側板２２に寄りかけることにより、安定に立てて収納することが可能となる。
【００５８】
しかも、前記側方分割空間Ｓ２は、引き出し２０の収納空間Ｓの中の側方に寄せて形成されているから、この側方分割空間Ｓ２内で物品を引き出し２０の手前のほうに収納することができて、その取り出しが容易となる。
【００５９】
また、たとえまな板Ｘ１等の背の高い物品を前記側方分割空間Ｓ２に立てて収納しても、該側方分割空間Ｓ２は引き出し２０の収納空間Ｓの中の側方に寄せて形成されているから、該側方分割空間Ｓ２以外の他の分割空間Ｓ３への他の物品の収納の邪魔になることもない。
【００６０】
特に、相対向するシンク左側壁５ｃとキャビネット１０の左側壁１１との間のシンク横空間Ｓ１と、相対向する仕切り板４０と引き出し２０の左側板２２との間の側方分割空間Ｓ２とが上下に連続して一体化しているから、この一体化した高さの高い空間に、まな板Ｘ１等の背の高い物品を立てた状態で良好に収納することが可能となる。つまり、シンク５ａの側方のシンク横空間Ｓ１をデッドスペースとせずに有効利用することが可能となる。
【００６１】
また、仕切り板４０を係合部４３ａを介して側板２２ひいては引き出し２０に支持しているので、この仕切り板４０をしっかりと安定して立設することができる。
【００６２】
しかも、係合部４３ａを設けるための延設部４２を仕切り板４０の前後の端部に形成したから、この延設部４２が仕切り板４０と側板２２との間の側方分割空間Ｓ２を狭めることもない。
【００６３】
また、前後方向に延びる垂直面部４１と、側板２２に向かって延びる延設部４２とで屈曲構造が構成され、この屈曲構造により仕切り板４０の剛性が向上することとなる。
【００６４】
そして、左側方の仕切り板４０と右側板２３との間に架設された左右に延びるバー部材６０によって、仕切り板４０が連結板５０を介して右側板２３に連結されることとなり、これによっても仕切り板４０の剛性向上が図られる。
【００６５】
その場合に、バー部材６０は、仕切り板４０が引き出し２０に支持されている前後の支持部（係合部４３ａ，４３ａ）から遠い位置（前後方向の中央部：仕切り板４０の剛性が低下する部分）で仕切り板４０を右側板２３に連結しているから、仕切り板４０の剛性向上の観点から、より好ましい結果が得られる。
【００６６】
また、バー部材６０は、仕切り板４０と右側板２３との間の他の分割空間Ｓ３内に存在し、仕切り板４０と左側板２２との間の側方分割空間Ｓ２内には存在しないから、バー部材６０が側方分割空間Ｓ２への物品の収納の邪魔になることがない。
【００６７】
さらに、バー部材６０は、高い位置（上部の孔４６，５６）で架設されているから、バー部材６０が他の分割空間Ｓ３への他の物品（例えばスポンジたわし等の背の低い物品）の収納の邪魔になることも抑制される。
【００６８】
加えて、仕切り板４０、連結板５０及びバー部材６０は、引き出し２０に対して着脱自在であるから、引き出し２０の基本構造を変更することなく、仕切り板４０、連結板５０及びバー部材６０を引き出し２０に装着するかしないかだけで、２つの分割空間Ｓ２，Ｓ３を有する引き出しと、１つの収納空間Ｓのみ有する引き出しとに自在に変更することができる。
【００６９】
また、図７（ａ），（ｂ）から明らかなように、仕切り板４０及び連結板５０は左右対称に形成されている。したがって、本実施形態では引き出し２０の左側方に仕切り板４０、右側方に連結板５０を配設したが、逆に引き出し２０の右側方に仕切り板４０、左側方に連結板５０を配設することも簡単にできる。
【００７０】
また、本実施形態では、シンク５ａをキャビネット本体１０に対して右に偏って配置し、シンク横空間Ｓ１をキャビネット本体１０の左側方に設けたが、逆にシンク５ａをキャビネット本体１０に対して左に偏って配置し、シンク横空間Ｓ１をキャビネット本体１０の右側方に設けてもよい。
【００７１】
次に、物品保持部材７０，８０，９０について説明する。
【００７２】
図８（ａ），（ｂ），（ｃ）にそれぞれ示す、まな板Ｘ１（図９参照）用の物品保持部材７０、杓子Ｘ２（図９参照）用の物品保持部材８０、及びラップフィルムのロールＸ３（図１０参照）用の物品保持部材９０は、例えば鋼線のような金属製の線材を折曲加工及び接合することにより一体に形成されたものである。
【００７３】
まな板用物品保持部材７０は、図９にも示すように、まな板Ｘ１を間に挟みかつ下から支えるように連続形成された本体部７１と、この本体部７１を引き出し２０の側板２２又は２３のロッド部材２２ｂ又は２３ｂに支持するために本体部７１に接合された湾曲形状の係合部７２，７２と、本体部７１に接合されたブラケット７３と、このブラケット７３に回動自在に支持された脚部７４とを有している。
【００７４】
杓子用物品保持部材８０は、図９にも示すように、上下に長い門形に成形された本体部８１と、この本体部８１の上端部に並設され、杓子Ｘ２の紐を係止するために谷折りされた複数の係止部８２…８２と、前記本体部８１を仕切り板４０の垂直面部４１に支持するために本体部８１の下端部に結合された合成樹脂等でなる取付部８３，８３と、この取付部８３，８３に一体形成された柔軟性に富む突起部８４…８４とを有している。
【００７５】
ラップフィルムのロール用物品保持部材９０は、図１０にも示すように、上下に延びる１対の本体部９１，９１と、この本体部９１，９１の上端部に連続形成され、ラップフィルムのロールＸ３を囲うように水平に環状形成された環状部９２と、前記本体部９１，９１を仕切り板４０の垂直面部４１に支持するために本体部９１，９１の下端部に結合された合成樹脂等でなる取付部９３，９３と、この取付部９３，９３に一体形成された柔軟性に富む突起部９４…９４とを有している。
【００７６】
そして、図９に示したように、まな板用物品保持部材７０は、前記係合部７２，７２を引き出し２０の側板２２の上縁部を構成するロッド部材２２ｂに上方から係合することにより、この物品保持部材７０を側板２２に着脱自在に支持する。これにより、このまな板用物品保持部材７０は、仕切り板４０と引き出し２０の側板２２との間の側方分割空間Ｓ２内で、本体部７１を介して、まな板Ｘ１を安定、確実に保持し、収納することができる。
【００７７】
その場合に、このまな板用物品保持部材７０は、側板２２ひいては引き出し２０に支持されているから、まな板Ｘ１もまた側方分割空間Ｓ２内でしっかりと安定して支持された状態で、引き出し２０に収納されることとなる。
【００７８】
なお、まな板Ｘ１が乾いていないときのために、図９に示したように、本体部７１の下方にトレー７５を置くことが好ましい。
【００７９】
また、まな板Ｘ１が乾いていないときは、保持部材７０を引き出し２０の外に出し、脚部７４を開いて保持部材７０及びまな板Ｘ１を立てて放置し、まな板Ｘ１が乾いてから脚部７４を閉じてそのまま保持部材７０を引き出し２０の中に装着すればよい。
【００８０】
ただし、次に引き出し２０を開けてまな板Ｘ１を取り出そうとするときに、本体部７１の上端部を一緒につかんでまな板Ｘ１の姿勢を崩さないように、本体部７１の上端部はあまり上方まで延びていないほうが好ましい。
【００８１】
一方、同じく図９に示したように、杓子用物品保持部材８０は、前記取付部８３，８３の突起部８４…８４を仕切り板４０の垂直面部４１に形成された多数の孔４７…４７（図７（ａ）参照）のうちの所定の孔４７…４７に圧入することにより、この物品保持部材８０を仕切り板４０に着脱自在に支持する。これにより、この杓子用物品保持部材８０は、仕切り板４０の上縁部を超えて高さの高い杓子Ｘ２を、係止部８２…８２を介して、引き出し２０の収納空間Ｓ内に安定、確実に保持し、収納することができる。
【００８２】
その場合に、この杓子用物品保持部材８０は、仕切り板４０に支持されているから、杓子Ｘ２は仕切り板４０の近傍、つまり引き出し２０の側方に寄せて配置された側方分割空間Ｓ２の近傍に収納されることとなり、他の分割空間Ｓ３への他の物品の収納の邪魔になることが確実に回避される。
【００８３】
同様に、図１０に示したように、ラップフィルムのロール用物品保持部材９０は、前記取付部９３，９３の突起部９４…９４を仕切り板４０の垂直面部４１に形成された多数の孔４７…４７のうちの所定の孔４７…４７に圧入することにより、この物品保持部材９０を仕切り板４０に着脱自在に支持する。これにより、このラップフィルムのロール用物品保持部材９０は、仕切り板４０の上縁部を超えて高さの高いラップフィルムのロールＸ３を、環状部９２を介して、引き出し２０の収納空間Ｓ内に安定、確実に保持し、収納することができる。
【００８４】
その場合に、このラップフィルムのロール用物品保持部材９０は、仕切り板４０に支持されているから、ラップフィルムのロールＸ３は仕切り板４０の近傍、つまり引き出し２０の側方に寄せて配置された側方分割空間Ｓ２の近傍に収納されることとなり、他の分割空間Ｓ３への他の物品の収納の邪魔になることが確実に回避される。
【００８５】
なお、図９及び図１０では、物品Ｘ２，Ｘ３を側方分割空間Ｓ２の外で保持するように保持部材８０，９０を構成したが、物品Ｘ２，Ｘ３を側方分割空間Ｓ２の中で保持するように保持部材８０，９０を構成してもよい。
【産業上の利用可能性】
【００８６】
以上のように、本発明は、まな板や杓子等の背の高い物品を安定にかつ取り出し容易に立てて収納することができ、しかも、立てて収納した背の高い物品が他の物品の収納の邪魔にならないキッチンキャビネット用引き出しを提供するものであるから、台所用家具の技術分野において広範な産業上の利用可能性を有する。
【符号の説明】
【００８７】
２          キッチンキャビネット
５          ワークトップ
５ａ        シンク
５ｃ        シンクの左側壁
１０        キャビネット本体
１１        キッチンキャビネットの左側壁
２０        キッチンキャビネット用引き出し
２１        底板
２２        左側板
２２ｂ      左側板の上縁部（ロッド部材）
２３        右側板
２３ｂ      右側板の上縁部（ロッド部材）
４０        仕切り板
４１        仕切り板本体（垂直面部）
４２        仕切り板の延設部
４３        仕切り板の第２の延設部
４３ａ      仕切り板の係合部
５０        連結板
６０        バー部材
７０        物品保持部材
８０，９０  第２の物品保持部材
Ｓ          収納空間
Ｓ１        シンク横空間
Ｓ２        側方分割空間
Ｓ３        他の分割空間
Ｘ１        物品（まな板）
Ｘ２        物品（杓子）
Ｘ３        物品（ラップフィルムのロール）
【図１】
2010167195.tif 000003
【図２】
2010167195.tif 000004
【図３】
2010167195.tif 000005
【図４】
2010167195.tif 000006
【図５】
2010167195.tif 000007
【図６】
2010167195.tif 000008
【図７】
2010167195.tif 000009
【図８】
2010167195.tif 000010
【図９】
2010167195.tif 000011
【図１０】
2010167195.tif 000012